(57)【要約】【課題】  店舗内に配置される機器のレイアウト変更、機器の入れ替えなどを行うとき、各機器と店舗サーバ装置との配線作業を省力して、システムの再構築を容易にし、再構築費用を大幅に削減する。【解決手段】  店舗２内の各オープンケース３、ウォークイン４、冷凍リーチン５などのショーケース、空調機８、照明器具１０、店舗２外の冷蔵用の冷凍機６、冷凍用の冷凍機７、室外機９、看板照明器具１１などに無線局１２を取り付けするとともに、店舗２内の所定場所、例えば各無線局１２との無線信号授受が良好な場所に無線基地局１３を配置し、各無線局１２と無線基地局１３との間で、制御データ、監視データなどの授受を行う。【選択図】図１
2006093831.tif 000002
【特許請求の範囲】
【請求項１】
店舗に配置された各機器に取り付けられ、制御データを受信して対応する機器に供給する処理、対応する機器の監視データを生成して送信する処理の少なくとも何れかを行う複数の無線局と、
店舗内に配置され、制御データを各無線局に送信する処理、および各無線局から送信された各監視データを受信する処理を行う無線基地局と、
を備えたことを特徴とする店舗管理システム。
【請求項２】
請求項１に記載の店舗管理システムにおいて、
前記各無線局のうち、少なくとも何れか１つは、取り付けられる機器の種類に応じて温度測定を行うＲＴＤ無線局、デジタル状態の取得を行うＤＩ無線局、アナログ状態の取得を行うＡＩ無線局、温湿度の取得を行う温湿度無線局、または制御出力を行うＲＯ無線局である、
ことを特徴とする店舗管理システム。
【請求項３】
請求項１または２に記載の店舗管理システムにおいて、
前記無線局は、制御対象となる機器に対して通常出力を実行させる通常出力用回路と、異常時においてフェールセーフ出力を実行させるフェールセーフ回路とを備え、自局の異常、制御対象となる機器の異常、または外部装置からのフェールセーフ指令の何れかが検出された場合には、前記フェールセーフ回路を動作させて通常出力モードからフェールセーフモードに移行する、
ことを特徴とする店舗管理システム。
【請求項４】
請求項１から３の何れか１項に記載の店舗管理システムにおいて、
前記店舗内外の所定場所にパッシブアンテナを配置し、前記各無線局と前記無線基地局との間の無線信号授受をサポートする、
ことを特徴とする店舗管理システム。
【請求項５】
請求項１から４の何れか１項に記載の店舗管理システムにおいて、
前記各無線局は、店舗内の照明器具からの照明光、店舗外からの太陽光を受けて電力を発生する太陽電池装置と、通信状況や接続されている機器の状態を表示する表示器と、
を備えたことを特徴とする店舗管理システム。
【請求項６】
請求項１から５の何れか１項に記載の店舗管理システムにおいて、
前記各無線局の筐体、または前記店舗に光集光器を設け、店舗内の照明器具からの照明光、店舗外からの太陽光を前記各無線局の何れか１つ以上に集光する、
ことを特徴とする店舗管理システム。
【請求項７】
請求項１から６の何れか１項に記載の店舗管理システムにおいて、
前記無線基地局は、制御用周波数チャネルを用いて制御データの送信を行う送信部と、監視用周波数チャネルを用いて監視データの受信を行う受信部と、送信部の制御用周波数チャネル側と受信部の監視用周波数チャネル側とを分離する遮蔽板とを備えた、
ことを特徴とする店舗管理システム。
【請求項８】
請求項１から７の何れか１項に記載の店舗管理システムにおいて、
前記無線基地局の動作と、前記各無線局の動作とを相互に監視し、何からの異常が見つかったとき、異常部分に対応する無線局をフェールセーフ動作させながら、前記各無線局に周波数チャネルのキャリアセンスを行い、他の無線局に占有されていない周波数チャネルがあるとき、前記無線基地局側に監視データを送信する、
ことを特徴とする店舗管理システム。
【請求項９】
請求項１から８の何れか１項に記載の店舗管理システムにおいて、
前記無線局は、上位装置に監視データを送信するとき、上位装置から監視データを受信したことを示す応答データが出力されるまで、送信した監視データを蓄積し、前記上位装置から再送信指示があったとき、蓄積している監視データを再送信する、
ことを特徴とする店舗管理システム。
【請求項１０】
店舗に配置されるとともに制御対象となる機器に取り付けられ、外部装置からの制御データを受信して対応する機器の制御を行う無線装置であって、
制御対象となる機器に対して通常出力を実行させる通常出力用回路と、異常時においてフェールセーフ出力を実行させるフェールセーフ回路とを備え、自装置の異常、制御対象となる機器の異常、または外部装置からのフェールセーフ指令の何れかが検出された場合には、前記フェールセーフ回路を動作させて通常出力モードからフェールセーフモードに移行する、
ことを特徴とする店舗管理用無線装置。
【発明の詳細な説明】
【技術分野】
【０００１】
本発明は、コンビニエンスストアなどに設置される店舗管理システムに係わり、特に店舗内外に設置される各機器のレイアウト、入れ替えなどを容易にする店舗管理システムおよび店舗管理用無線装置に関する。
【背景技術】
【０００２】
コンビニエンスストアなどの店舗では、店舗内に設置されているショーケース、エアコン、照明器具などの各種機器を効率良く制御しようという試みが行われている。
【０００３】
例えば、「特開２００１−１３３１００号公報」では、マルチドロップ方式で、各機器にコントローラを設け、各コントローラ間で、データの授受を行って、各機器を協調制御し、各機器の運転効率を高めている。
【特許文献１】特開２００１−１３３１００号公報
【発明の開示】
【発明が解決しようとする課題】
【０００４】
ところで、このようなコンビニエンスストアなどでは、新規に開店する店舗が多数ある一方、閉鎖する店舗も多い。このため、別の店舗で用いていたショーケース、エアコン、照明器具などの各種機器を流用したり、店舗内の配置換えなどによって、ショーケース、エアコン、照明器具などの各種機器を移動したりすることが多い。
【０００５】
この際、これらショーケース、エアコン、照明器具などの各種機器を移動する度に、信号ケーブルなどの配線などの配線を行わなければならないことから、店舗開店時、内装変更時の費用が嵩んでしまうという問題があった。
【０００６】
本発明は上記の事情に鑑み、配線作業を行うことなく、店舗内に配置されている各機器のレイアウト変更、機器の入れ替えなどを行うことができ、システムの再構築を容易にし、再構築費用を大幅に削減することができる店舗管理システムおよび店舗管理用無線装置を提供することを目的としている。
【課題を解決するための手段】
【０００７】
上記の目的を達成するために本発明は、店舗に配置された各機器に取り付けられ、制御データを受信して対応する機器に供給する処理、対応する機器の監視データを生成して送信する処理の少なくとも何れかを行う複数の無線局と、店舗内に配置され、制御データを各無線局に送信する処理、および各無線局から送信された各監視データを受信する処理を行う無線基地局とを備えたことを特徴としている。
【発明の効果】
【０００８】
本発明によれば、配線作業を行うことなく、店舗内に配置されている各機器のレイアウト変更、機器の入れ替えなどを行って、システムの再構築を容易にし、再構築費用を大幅に削減することができる。
【発明を実施するための最良の形態】
【０００９】
《店舗管理システム全体の説明》
図１は本発明による店舗管理システムの一実施形態を示す概略構成図である。
【００１０】
この図に示す店舗管理システム１は、店舗２内に配置された各オープンケース３、ウォークイン４、冷凍リーチン５などのショーケース、空調機８、照明器具１０、店舗２外に配置された冷蔵用の冷凍機６、冷凍用の冷凍機７、室外機９、看板照明器具１１などに設けられる複数の無線局１２と、店舗２内の所定場所、例えば各無線局１２に対する無線信号授受が良好な場所に配置され、各無線局１２と通信を行う無線基地局１３と、ＬＡＮ１４を介して無線基地局１３に接続され、この無線基地局１３を介して各無線局１２とデータの授受を行い、各無線局１２に接続された各オープンケース３、ウォークイン４、冷凍リーチン５などのショーケース、冷蔵用の冷凍機６、冷凍用の冷凍機７、空調機８、室外機９、照明器具１０、看板照明器具１１などなどの運転内容を管理する店舗サーバ装置１５と、店舗２内のカウンタなどに配置され、入力された商品情報などをＬＡＮ１４上に送出するＰＯＳターミナル装置１６と、店舗２内の所定場所に設置されて、ＬＡＮ１４上に送出された商品情報などを取り込んで在庫情報などを管理するストアサーバ装置１７と、ＬＡＮ１４に接続され、センタ側のセンタサーバ装置１８などからの送信要求に応じてストアサーバ装置１７などから出力される在庫情報、運転状況などをインターネット回線１９上に送出し、センタ側のセンタサーバ装置１８などに供給するモデム装置２０と、インターネット回線１９を介してセンタサーバ装置１８から必要なデータを取り出し、店舗２の機器状況、販売状況、在庫情報などをクライアントに提示するクライアントＰＣ装置２１とを備えている。
【００１１】
そして、予め設定されている周期で、各オープンケース３、ウォークイン４、冷凍リーチン５などのショーケース、冷蔵用の冷凍機６、冷凍用の冷凍機７、空調機８、室外機９、照明器具１０、看板照明器具１１などから運転状況（監視データ）が出力されると、この監視データが各無線局１２→無線基地局１３→ＬＡＮ１４→店舗サーバ装置１５なる経路で店舗サーバ装置１５に供給されて管理される。また、ＰＯＳターミナル装置１６から商品情報が出力されると、この商品情報がＰＯＳターミナル装置１６→ＬＡＮ１４→ストアサーバ装置１７なる経路でストアサーバ装置１７に供給され、売り上げ情報、在庫情報などが更新される。さらに、店舗管理者などによって商品要求情報などが入力される毎に、ストアサーバ装置１７に記憶されるようになっている。
【００１２】
また、この動作と並行し、センタサーバ装置１８から情報要求が出力され、センタサーバ装置１８→インターネット回線１９→モデム装置２０→ＬＡＮ１４→店舗サーバ装置１５、ストアサーバ装置１７に供給されると、店舗サーバ装置１５から運転状況情報などが出力されるとともに、ストアサーバ装置１７から売り上げ情報、在庫情報などが出力され、店舗サーバ装置１５、ストアサーバ装置１７→ＬＡＮ１４→モデム装置２０→インターネット回線１９→センタサーバ装置１８なる経路でセンタサーバ装置１８に供給されて、管理される。
【００１３】
さらに、この動作と並行し、クライアントＰＣ装置２１から店舗情報要求が出力されると、クライアントＰＣ装置２１→インターネット回線１９→センタサーバ装置１８なる経路でセンタサーバ装置１８に供給される毎に、センタサーバ装置１８から指定された店舗２の運転状況情報、売り上げ情報、在庫情報などが出力され、センタサーバ装置１８→インターネット回線１９→クライアントＰＣ装置２１なる経路でクライアントＰＣ装置２１に供給され、図２に示すように、店舗２内外に設けられた各オープンケース３、ウォークイン４、冷凍リーチン５などのショーケース、冷蔵用の冷凍機６、冷凍用の冷凍機７、空調機８、室外機９、照明器具１０、看板照明器具１１の設定状況、運転状況などが画面表示される。
【００１４】
このように、この実施形態では、店舗２内に配置された各オープンケース３、ウォークイン４、冷凍リーチン５などのショーケース、照明器具１０、空調機８、店舗２外に配置された冷蔵用の冷凍機６、冷凍用の冷凍機７、室外機９、看板照明器具１１などに無線局１２を取り付けるとともに、店舗２内の所定場所、例えば各無線局１２との無線信号授受が良好な場所に無線基地局１３を配置し、各無線局１２と無線基地局１３との間で、制御データ、監視データなどの授受を行うようにした。このため、各オープンケース３、ウォークイン４、冷凍リーチン５などのショーケース、冷蔵用の冷凍機６、冷凍用の冷凍機７、空調機８、室外機９、照明器具１０、看板照明器具１１などのレイアウト変更、機器の入れ替えなどを行うとき、各オープンケース３、ウォークイン４、冷凍リーチン５などのショーケース、冷蔵用の冷凍機６、冷凍用の冷凍機７、空調機８、室外機９、照明器具１０、看板照明器具１１などと、店舗サーバ装置１５との配線作業を省力して、システムの再構築を容易にし、再構築費用を大幅に削減することができる。
【００１５】
《各無線局の説明》
店舗管理システム１で使用される各無線局１２としては、温度測定を行うＲＴＤ無線局、デジタル状態の取得を行うＤＩ無線局、アナログ状態の取得を行うＡＩ無線局、温湿度の取得を行う温湿度無線局、制御出力を行うＲＯ（リレー出力用）無線局などがあり、この中から取り付けられる機器の種類に応じたものが選択されて、取り付けられる。
【００１６】
例えば、図３に示すように、オープンケース３の運転状況情報を無線基地局１３に送信する場合には、オープンケース３にＲＴＤ無線局２２が取り付けられるとともに、図４に示すように、ＲＴＤ無線局２２に接続された温度取得部２３が冷気の吹き出し口部分に取り付けられ、オープンケース３内の温度がばらついた場合にも、冷気の通り道上の温度が測定され、無線基地局１３に送信される。
【００１７】
また、図３に示すように、冷凍機６，７、室外機９の運転状況情報を無線基地局１３に送信する場合には、冷凍機６，７、室外機９にＤＩ無線局２４が取り付けられ、図５に示すように、外付けリレー２５などを介して、冷凍機６，７、室外機９のオン／オフ状態を示すマグネット２６の両端電圧など、運転状況情報を示す情報が取り出され、無線基地局１３に送信される。
【００１８】
また、図３に示すように、店舗２内の壁などに設けられたニオイセンサ２６、図６に示すように、測定対象に取り付けられた圧力センサ２７などの測定結果を無線基地局１３に送信する場合には、店舗２の壁などにＡＩ無線局２８が取り付けられ、図６に示すようにニオイセンサ２６から出力される測定結果（アナログ値）、圧力センサ２７などの測定結果（アナログ値）が取り込まれ、無線基地局１３に送信される。
【００１９】
また、図３に示すように、店舗２の軒下などに設けられた室外温湿度計２９などの測定結果を無線基地局１３に送信する場合には、図７に示すように店舗２の軒下などに温湿度無線局３０が取り付けられ、室外温湿度計２９から出力される測定結果が取り込まれ、無線基地局１３に送信される。
【００２０】
さらに、図３に示すように、無線基地局１３から送信される制御データを受信して、ウォークイン４、冷凍リーチン５、冷凍機６，７、室外機９などを制御する場合には、ウォークイン４、冷凍リーチン５、冷凍機６，７、室外機９などにＲＯ無線局３１が取り付けられ、受信した制御データに応じて、ウォークイン４、冷凍リーチン５、冷凍機６，７、室外機９などが制御される。
【００２１】
この際、ＲＯ無線局は、図８（Ａ）に示すように、ＲＯ無線局３１などが正常に動作しているときに使用される通常出力回路３２と、ＲＯ無線局３１などが異常になっているときに使用されるフェールセーフ回路３３とを備えている。そして、同図（Ｂ）のフローチャートに示すように、制御対象の電源が投入されているか、シーケンス動作を監視しているウォッチドックタイマが正常に動作しているかどうか、無線基地局１３から送信された無線信号を受信して得られた制御信号が通常の制御指示であるかどうかをチェックする。制御対象の電源投入が検知できないとき（ステップＳ１NO）、またはウォッチドックタイマが正常に動作していないとき（ステップＳ４NO）、または制御信号が通常の制御指示でなく、かつ制御信号がフェールセーフ処理を指示しているとき（ステップＳ８NO、Ｓ９YES）、フェールセーフ回路３３を構成しているフェールセーフリレー３４をオフして、共通接点Ｃと、ノーマルクローズ接点ＮＣとを接続し、制御対象の誤制御を防止する。また、制御対象の電源が投入されるとともに、ウォッチドックタイマが正常に動作している状態で、制御信号が通常の制御指示であるとき、通常出力回路３２を構成するリレーのうち、該当する制御リレー３７を動作させて、共通接点Ｃと、ノーマルオープン接点ＮＯとを接続し、制御指示で指定された動作を行う。
【００２２】
これにより、制御対象がオープンケース３、ウォークイン４、冷凍リーチン５などの庫内温度であれば、図９に示すように、制御対象の電源投入が検知できないとき、またはウォッチドックタイマが正常に動作していないとき、または制御信号が通常の制御指示でないとき、あるいは制御信号がフェールセーフ処理を指示しているとき、フェールセーフ回路３３を構成しているフェールセーフリレー３４をオフして、共通接点Ｃと、ノーマルクローズ接点ＮＣとを接続し、ＦＳ１ＣＭ端子と、ＦＳ１ＮＣ端子とに接続されたオープンケース３、ウォークイン４、冷凍リーチン５などに設けられたサーモ接点３５のオン・オフによって電磁弁３６の開閉を行う。
【００２３】
また、ＲＯ無線局３１が正常に動作しているとき、図９に示すように、制御指示に応じて、通常出力回路３２を構成している制御リレー３７の共通接点Ｃと、ノーマルオープン接点ＮＯ（または、ノーマルクローズ接点ＮＣ）とを接続し、ＲＯ１ＣＭ端子と、ＲＯ１ＮＯ端子（または、ＲＯ１ＮＣ端子）を介して、自動冷却運転、あるいは強制冷却運転、強制停止運転などを行う。
【００２４】
このように、この実施形態では、各無線局１２として、温度測定を行うＲＴＤ無線局２２、デジタル状態の取得を行うＤＩ無線局２４、アナログ状態の取得を行うＡＩ無線局２８、温湿度の取得を行う温湿度無線局３０、制御出力を行うＲＯ無線局３１などの中から、取り付けられる機器の種類に応じたものを選択して、取り付けするようにしているので、店舗２内に配置されている各機器の種類にかかわらず、各機器を改造することなく、各機器の監視、制御を行って、店舗２内に配置されている各機器の入れ替え時の自由度を高め、システムの再構築を容易にすることができるとともに、再構築費用を大幅に削減することができる。
【００２５】
《パッシブアンテナの説明》
店舗管理システム１で使用される各無線局１２と無線基地局１３との間に障害物などがあり、各無線局１２と無線基地局１３との間で十分な無線通信レベルを確保できない場合には、図１０に示すように、店舗２の所定場所、例えば各無線局１２と無線基地局１３との間を隔てる障害物などにパッシブアンテナ３８を設置する。
【００２６】
パッシブアンテナ３８は、図１１に示すように、各無線局１２と無線基地局１３との間で使用される無線信号の波長に対し１／４波長にされ、各無線局１２を見通せる場所などに設置されるアンテナ本体３９と、各無線局１２と無線基地局１３との間で使用する無線信号の波長に対し１／４波長にされ、無線基地局１３を見通せる場所に設置されるアンテナ本体４０と、１／４波長×ｎ倍の長さに形成され、一端が一方のアンテナ本体３９に接続され、他端が他方のアンテナ本体４０に接続される同軸ケーブル４１とを備えている。
【００２７】
そして、無線基地局１３から無線信号が送信されたとき、無線基地局１３を見通せる場所に設置されたアンテナ本体４０によって、これを受信して、アンテナ本体４０→同軸ケーブル４１→アンテナ本体３９なる経路で受信信号をアンテナ本体３９に伝え、アンテナ本体３９から無線信号を送信して各無線局１２に受信させる。
【００２８】
また、各無線局１２から無線信号が送信されたとき、各無線局１２を見通せる場所に設置されたアンテナ本体３９によって、これを受信して、アンテナ本体３９→同軸ケーブル４１→アンテナ本体４０なる経路で受信信号をアンテナ本体４０に伝え、アンテナ本体４０から無線信号を送信して無線基地局１３に受信させる。
【００２９】
このように、この実施形態では、各無線局１２と無線基地局１３との間で、十分な無線通信レベルを確保できないとき、各無線局１２と無線基地局１３との間を隔てる障害物などにパッシブアンテナ３８を配置するようにした。このため、店舗２内に配置されている各無線局１２と無線基地局１３との間に金属板、壁などの障害物があるときでも、各無線局１２と無線基地局１３との間で授受される無線信号の受信レベル低下を防止し、店舗２内に配置されている各機器のレイアウト自由度を大幅に向上することができる。
【００３０】
《電源の説明》
店舗管理システム１で使用される各無線局１２は、図１２に示すように、照明器具１０からの照明光、外部からの太陽光などを受けて電力を生成する太陽電池機能を持つ電源装置４２と、無線ネットワークに必要な情報を表示する液晶表示器とを備えている。この液晶表示器に表示される情報としては、“ＲＸ”、“ＴＸ”、“ＣＳ”、電源状態、受信レベル、ＲＴＤ無線局固有の情報、ＡＩ無線局固有の情報、ＤＩ無線局固有の情報、温湿度無線局固有の情報、ＲＯ無線局固有の情報などがある。
【００３１】
電源装置４２は、図１３に示すように、照明器具１０からの照明光、外部からの太陽光などを受けて電力を生成する太陽電池パネル４４と、太陽電池パネル４４によって生成された電力を整流するダイオード４５と、ダイオード４５によって整流された電力を蓄積する大容量の電気二重層コンデンサ４６と、補助電源として使用されるバッテリＢＯＸ４７と、電気二重層コンデンサ４６から出力される電源電圧、バッテリＢＯＸ４７から出力される電源電圧のうち、電圧値が高い方を選択する２つのダイオード４８，４９と、ダイオード４８，４９の何れかを介して供給される電源電圧を昇圧して、所望の電圧値の電源電圧を生成する昇圧型ＤＣ／ＤＣコンバータ５０と、昇圧型ＤＣ／ＤＣコンバータ５０から出力される電源電圧を整流するダイオード５１と、ダイオード５１によって整流された電源電圧を平滑化して負荷回路５３（無線局１２の各回路基板）に供給するコンデンサ５２とを備えて構成される。
【００３２】
昇圧型ＤＣ／ＤＣコンバータ５０としては、例えば電圧値調整器などとして使用される２つの可変抵抗５４，５５、各ダイオード４８，４９を介して供給される電源電圧を分圧する２つの抵抗５６、５７と、これらの各抵抗５６、５７で得られた分圧電圧、各可変抵抗５４，５５から出力される電圧値に基づき、オン／オフ信号を生成する電源ＩＣ（制御回路）５８と、電源ＩＣ５８から出力されるオン／オフ信号に応じて、オン／オフするスイッチング素子５９と、スイッチング素子５９がオン状態になっているとき、各ダイオード４８，４９の何れかを介して供給される電源電圧に応じた電流が流れ、スイッチング素子５９がオフ状態になったとき、逆起電圧を生成し、電源電圧として出力する昇圧コイル６０とを備えたコンバータが使用される。
【００３３】
そして、この電源装置４２は、照明器具１０などからの照明光、または外部からの太陽光などが十分な光強度を持つとき、太陽電池パネル４４で生成された電力から指定された電圧値の電源電圧を生成して、無線局１２の各回路基板に供給する。また照明器具１０などからの照明光、または外部からの太陽光などの光強度が低下して、太陽電池パネル４４で生成される電力が低下したとき、バッテリＢＯＸ４７に蓄積されている電力から指定された電圧値の電源電圧を生成して、無線局１２の各回路基板に供給する。
【００３４】
このように、この実施形態では、各無線局１２に、照明器具１０からの照明光、外部からの太陽光などを受けて電力を生成する太陽電池機能を持つ電源装置４２と、無線ネットワークに必要な情報“ＲＸ”、“ＴＸ”、“ＣＳ”、電源状態、受信レベル、ＲＴＤ無線局固有の情報、ＡＩ無線局固有の情報、ＤＩ無線局固有の情報、温湿度無線局固有の情報、ＲＯ無線局固有の情報などの表示する液晶表示器４３とを設けるようにしていた。このため、商用電源を使用することなく、各無線局１２を動作させることができるとともに、通信動作状況を表示して、店舗２内に配置されている各機器のレイアウト変更、機器の入れ替え時の通信動作確認などを容易にし、システムの再構築の手間、費用などを大幅に削減することができる。
【００３５】
《集光パネルの説明》
また、店舗管理システム１で使用される各無線局１２は、図１４に示すように、両側に回転自在、あるいは折り曲げ自在なジョイント６１が取り付けられ、このジョイント６１を介して、平面型、あるいはパラボラ型の集光パネル６２が取り付けられ、照明器具１０からの照明光、外部からの太陽光などを各集光パネル６２で太陽電池パネル４４に集光するように構成されている。
【００３６】
この際、照明器具１０の方向、あるいは太陽光が入り込む方向などに応じて、各集光パネル６２の取り付け角度が調整されて、照明器具１０からの照明光、外部からの太陽光などが各集光パネル６２で太陽電池パネル４４に集光される。
【００３７】
また、店舗２には、図１５に示すように、窓６３部分に取り付けられた集光パネル６４によって、太陽光が効率良く各無線局１２に導かれる。これにより、太陽光が強いとき、店舗２内の照明器具１０の明るさを低下でき、電力消費量を低下させたときでも、各無線局１２に取り付けられた太陽電池パネル４４で、十分な電力が生成されるとともに、店舗２内の明るさが確保される。
【００３８】
このように、この実施形態では、店舗２の窓部分などに、集光パネル６４を取り付けて、外部からの太陽光を各無線局１２の太陽電池パネル４４などに集光するとともに、店舗２内を明るくし、さらに各無線局１２の両側に集光パネル６２を取り付けて、照明器具１０からの照明光、外部からの太陽光などを各集光パネル６２で太陽電池パネル４４に集光するようにした。このため、店舗２内で使用する照明器具１０の消費電力を低下でき、店舗２内の明るさを低下したときでも、また店舗２外からの太陽光が弱いときでも、これら照明光、太陽光で各無線局１２を動作させることができる。
【００３９】
《無線基地局の説明》
店舗管理システム１で使用される無線基地局１３は、図１６に示すように、制御用として指定された周波数チャネルを用いて各ＲＯ無線局３１に制御データなどを送信する送信部６５と、監視用として指定された周波数チャネルを用いてＤＩ無線局２４、ＲＴＤ無線局２２、ＡＩ無線局２８、温湿度無線局３０などからの監視データを受信する受信部６６と、送信用アンテナ６８と受信用アンテナ６９とを分離するように設置され、制御用として指定された周波数チャネルの周波数帯と監視用として指定された周波数チャネルの周波数帯が近いときにも、各周波数チャネルの周波数干渉を防止して信号レベルの低下を抑制する金属製の遮蔽板７０と、送信部６５、受信部６６などを制御して、店舗サーバ装置１５、各ＲＯ無線局３１、ＤＩ無線局２４、ＲＴＤ無線局２２、ＡＩ無線局２８、温湿度無線局３０などの動作を監視制御する処理部６７とを備えている。
【００４０】
そして、この無線基地局１３は、店舗サーバ装置１５、各ＲＯ無線局３１、ＤＩ無線局２４、ＲＴＤ無線局２２、ＡＩ無線局２８、温湿度無線局３０などの動作を監視しながら、店舗サーバ装置１５から供給された制御データを取り込んで、送信部６５から無線送信し、各ＲＯ無線局３１にウォークイン４、冷凍リーチン５、冷凍機６，７、室外機９などを制御させるとともに、各ＤＩ無線局２４、ＲＴＤ無線局２２、ＡＩ無線局２８、温湿度無線局３０などから送信される監視データなどを取り込んで、店舗サーバ装置１５に供給する。
【００４１】
次に、無線基地局１３、店舗サーバ装置１５、およびＲＯ無線局との間で実行される制御手順について図１７のフローチャートを用いて説明する。なお、図１７（Ａ）のステップＳ１１からＳ１９は無線基地局１３の処理部６７での処理、同図（Ｂ）のステップＳ２０からＳ２４は店舗サーバ装置１５での処理、同図（Ｃ）のステップＳ３１からＳ３７はＲＯ無線局３１での処理をそれぞれ示す。
【００４２】
無線基地局１３に設けられている処理部６７では、図１７（Ａ）のフローチャートに示すように、制御用として指定された周波数チャネルが立ち上ると、一定周期内に上位側の店舗サーバ装置１５からの送信信号があるかどうかを監視する（ステップＳ１１）。すなわち、店舗サーバ装置１５からの定期的な問い合わせ信号を確認することによって店舗サーバ装置１５の正常を確認している。一方の店舗サーバ装置１５では、図１７（Ｂ）のフローチャートに示すように、遠隔監視を実行し、ＲＯ無線局３１などに対する処理の実施要求があれば、制御実施要求を無線基地局１３に送信する（ステップＳ２０〜Ｓ２２）。
【００４３】
無線基地局１３では、店舗サーバ装置１５の制御処理で制御実施要求が出力されたとき、これを取り込み、図１８に示すように、制御データで指定されたＲＯ無線局３１に対するＩＤ、制御指示、ＣＲを持つ制御データを生成して、送信部６５から各ＲＯ無線局３１に送信する。該当するＲＯ無線局３１では、制御データで指定されたフェールセーフ動作、あるいは対応するウォークイン４、冷凍リーチン５、冷凍機６，７、室外機９などの制御動作を行う。
【００４４】
また、店舗サーバ装置１５が正常に動作して、一定周期でポーリング信号を定期的に出力しているとき（ステップＳ２３，Ｓ２４）、無線基地局１３の処理部６７は、ポーリング信号を受信して、無線基地局１３が正常に動作していることを示す応答信号を出力し、店舗サーバ装置１５に供給する（ステップＳ１７，Ｓ１８）。
【００４５】
無線基地局１３は、店舗サーバ装置１５からの定期的な問い合わせ信号によって店舗サーバ装置１５の正常を確認するが、店舗サーバ装置１５に何らかの異常が発生し、制御データ、ポーリング信号が出力停止されてから一定時間が経過したとき、無線基地局１３の処理部６７は、店舗サーバ装置１５がダウンしていると判断して、フェールセーフ指示を示す制御データを生成して送信部６５から各ＲＯ無線局３１に送信し、図１７（Ｃ）のフローチャートに示すように、全てのＲＯ無線局３１にフェールセーフ動作を行わせる（ステップＳ１２，Ｓ１３）。これに応答してＲＯ無線局３１は、フェールセーフモードによる制御を実施する（ステップＳ３５，Ｓ３６）。なお、図１７（Ａ）のステップＳ１４の処理では、フェールセーフモードを維持したまま、店舗サーバ装置１５が再び正常な動作を、すなわち店舗サーバ装置１５から定期的な問い合わせ信号の受信を待つ処理であり、店舗サーバ装置１５が正常な状態に戻って、定期ポーリング信号が出力されると、フェールセーフモードが解除されて元の処理に戻る（ステップＳ１９）。
【００４６】
ＲＯ無線局３１では、無線基地局１３から制御用として指定された周波数チャネルの無線信号（キャリア信号）が出力されていることを監視することによって、無線基地局１３の正常動作を確認するが、図１７（Ｃ）のフローチャートに示すように、無線基地局１３に何らかの異常が発生して、キャリア信号が一定時間以上、送信停止となると、送信チャネルが立ち上がるまでの間、全てのＲＯ無線局３１はフェールセーフ動作を行う（ステップＳ３１〜Ｓ３４）。ステップＳ３４の処理では、フェールセーフモードを維持したまま、再び、キャリア信号があるかどうかを監視しており、キャリア信号がない場合には、フェールセーフモードを維持する。無線基地局１３の送信チャネルが立ち上がってキャリア信号の出力が確認されるとフェールセーフモードは解除され（ステップＳ３７）、元のルーチンに戻る。
【００４７】
一方、図１９のフローチャートに示すように、各ＤＩ無線局２４、ＲＴＤ無線局２２、ＡＩ無線局２８、温湿度無線局３０は時計をチェックし、監視データの送信時期になる毎に、割り当てられている周波数チャネルのキャリアセンスを行い、他の各ＤＩ無線局２４、ＲＴＤ無線局２２、ＡＩ無線局２８、温湿度無線局３０に占有されていない周波数チャネルがあるかどうかをチェックする（ステップＳ４１〜Ｓ４４）。
【００４８】
そして、他の各ＤＩ無線局２４、ＲＴＤ無線局２２、ＡＩ無線局２８、温湿度無線局３０に占有されていない周波数チャネルがあるとき（ステップＳ４５YES）、送信タイミングカウンタでタイミングを取り、自局の送信タイミングが到来する毎に、図２０に示すように、自局のＩＤ、冷凍機６，７、室外機９の運転状況情報を示す情報（デジタル値）、ニオイセンサ２６から出力される測定結果（アナログ値）、圧力センサ２７などの測定結果（アナログ値）、室外温湿度計２９から出力される測定結果などの監視情報、ＣＲを含む監視データを生成して、無線基地局１３の受信部６６に向けて送信する。送信後、次の送信時期になるまで、送信完了した各ＤＩ無線局２４、ＲＴＤ無線局２２、ＡＩ無線局２８、温湿度無線局３０は、送信を休止する（ステップＳ４６〜Ｓ５０）。
【００４９】
また、割り当てられている周波数チャネルのキャリアセンスを行った結果、全ての周波数チャネルが他の各ＤＩ無線局２４、ＲＴＤ無線局２２、ＡＩ無線局２８、温湿度無線局３０に占有されているとき（ステップＳ４５NO）、キャリアセンスを行った各ＤＩ無線局２４、ＲＴＤ無線局２２、ＡＩ無線局２８、温湿度無線局３０はタイムアウトカウンタを起動して、予め設定されている時間、例えば２秒間だけ待機した後に再度、割り当てられている周波数チャネルのキャリアセンスを行う（ステップＳ５１〜Ｓ５３）。一定時間以内に他の各ＤＩ無線局２４、ＲＴＤ無線局２２、ＡＩ無線局２８、温湿度無線局３０に占有されていない周波数チャネルが見つからないとき、キャリアセンスを行った各ＤＩ無線局２４、ＲＴＤ無線局２２、ＡＩ無線局２８、温湿度無線局３０は今回の送信処理をスキップして、次回の送信時期になったとき、今回の監視データ分を含む監視データの送信を行う。
【００５０】
このように、この実施形態では、送信用アンテナ６８と、受信用アンテナ６９とを使用し、これら送信用アンテナ６８と、受信用アンテナ６９とを分離するように金属製の遮蔽板７０を設置し、制御用として指定された周波数チャネルの周波数帯と監視用として指定された周波数チャネルの周波数帯が近いときにも、各周波数チャネルが周波数干渉しないようにした。このため、店舗２内で使用可能な電波の周波数範囲が制限されているときでも、制御用周波数チャネル、監視用周波数チャネルの数を多くし、各機器の緊急制御が必要になったとき、あるいは各機器の動作急変したときにも、リアルタイムで、これに対処することができる。
【００５１】
また、この実施形態では、無線基地局１３、店舗サーバ装置１５、各ＲＯ無線局３１、ＤＩ無線局２４、ＲＴＤ無線局２２、ＡＩ無線局２８、温湿度無線局３０などの動作を相互に監視し、何からの異常が見つかったとき、異常となった機器をフェールセーフ動作しながら、各ＲＯ無線局３１、ＤＩ無線局２４、ＲＴＤ無線局２２、ＡＩ無線局２８、温湿度無線局３０に周波数チャネルのキャリアセンスを行い、他の各ＲＯ無線局３１、ＤＩ無線局２４、ＲＴＤ無線局２２、ＡＩ無線局２８、温湿度無線局３０に占有されていない周波数チャネルがあるとき、空き周波数チャネルを使用して、無線基地局１３側に監視データを送信するようにしいてるので、店舗２内に設けられた無線基地局１３、各無線局１２の何れかが異常となったとき、これを検知して、異常部分に対応する無線局１２をフェールセーフ動作して、各機器の暴走を防止しながら、無線基地局１３と各無線局１２との間の周波数チャネルを有効に活用して、トラフック量を最適化することができる。
【００５２】
《監視データの再送信の説明》
また、店舗管理システム１で使用される各ＤＩ無線局２４、ＲＴＤ無線局２２、ＡＩ無線局２８、温湿度無線局３０は、無線基地局１３に対し、監視データを送信する毎に、送信した監視データの内容を記憶しながら、一定周期で、無線基地局１３に監視データの取得状況を問い合わせ、欠損となっている監視データがあるとき、記憶している監視データを再度、送信し、無線基地局１３に監視データを確実に供給する。
【００５３】
この際、各ＤＩ無線局２４、ＲＴＤ無線局２２、ＡＩ無線局２８、温湿度無線局３０、例えばＤＩ無線局２４は、図２１のフローチャートに示すように、予め設定されている一定周期で、監視動作で得られた自局のＩＤ、冷凍機６，７、室外機９の運転状況情報を示す情報（デジタル値）などの監視情報、ＣＲを含む監視データを生成し、上位装置に指定された無線基地局１３に送信した後、この監視データを圧縮して保存する（ステップＳ６１，Ｓ６２）。
【００５４】
次いで、ＤＩ無線局２４は、現在時刻が予め設定されている問い合わせ時刻であるかどうかをチェックし、現在時刻が問い合わせ時刻であるとき、欠測調査要求を生成して、無線基地局１３に送信する（ステップＳ６３〜Ｓ６５）。
【００５５】
無線基地局１３は、欠測調査要求を受信するとし、監視データの欠測があるかどうかを調査し、欠測がある場合には、問いかけのあったＤＩ無線局２４に欠測データを要求する応答データを送信する（ステップＳ７１〜Ｓ７３）。
【００５６】
そして、ＤＩ無線局２４は、欠測調査要求を送信してから、一定時間内に無線基地局１３から欠測している監視データが無いことを示す応答データが送信されないとき、各ＤＩ無線局２４は、無線基地局１３側で、全ての監視データが正常に受信されたと判断して、記憶している監視データを全て、削除する。
【００５７】
また、欠測調査要求を送信してから、一定時間内に無線基地局１３から欠測している監視データがあることを示す応答データが送信されたとき、各ＤＩ無線局２４は、圧縮して記憶している監視データを解凍、復元して、無線基地局１３に送信した後、記憶している監視データを全て、削除する（ステップＳ６６〜Ｓ７０）。無線基地局１３では、欠測データの補間処理が実行され、データベースへ欠測データが保存される（ステップＳ７４，Ｓ７５）。
【００５８】
このように、この実施形態では、各ＤＩ無線局２４、ＲＴＤ無線局２２、ＡＩ無線局２８、温湿度無線局３０から無線基地局１３に監視データを送信する毎に、送信した監視データの内容を記憶しながら、一定周期で、無線基地局１３に監視データの取得状況を問い合わせ、欠測となっている監視データがあるとき、記憶している監視データを再度、送信し、無線基地局１３に監視データを確実に供給するようにしているので、システムを構築している各無線局１２などの下位装置から上位装置となる無籍基地局１３などに一方的に監視データを送信したときにも、上位装置側に全ての監視データを確実に送信して、監視データの欠損などが発生しないようにして、監視精度を大幅に向上することができる。
【００５９】
また、この実施形態では、各ＤＩ無線局２４、ＲＴＤ無線局２２、ＡＩ無線局２８、温湿度無線局３０から無線基地局１３に対し、監視データを送信するとき、監視データを保管し、無線基地局１３から再送信要求が出されたとき、これに対処するようにしているが、店舗サーバ装置１５からセンタサーバ装置１８に監視データなどを送信するときにも、同様な手順で、監視データなどを保管し、センタサーバ装置１８から再送信要求が出されたとき、これに対処するようにしても良い。
【図面の簡単な説明】
【００６０】
【図１】本発明による店舗管理システムの一実施形態を示す概略構成図である。
【図２】クライアントＰＣ装置に表示される店舗監視画面例を示す説明図である。
【図３】各種無線局の具体例を示す斜視図である。
【図４】ＲＴＤ無線局の詳細な使用例を示す概略構成図である。
【図５】ＤＩ無線局の詳細な使用例を示す概略構成図である。
【図６】ＡＩ無線局の詳細な使用例を示す概略構成図である。
【図７】温湿度無線局の詳細な使用例を示す概略構成図である。
【図８】ＲＯ無線局の動作例を示すフローチャートである。
【図９】ＲＯ無線局の動作例を示す説明図である。
【図１０】店舗に設けられるパッシブアンテナ例を示す概略構成図である。
【図１１】パッシブアンテナの詳細な構成例を示す正面図である。
【図１２】電源装置と、液晶表示器とを持つ無線局の一例を示す正面図である。
【図１３】電源装置の回路構成例を示す回路図である。
【図１４】集光パネルを持つ無線局の一例を示す正面図である。
【図１５】集光パネルを持つ店舗の一例を示す斜視図である。
【図１６】無線基地局の詳細な構成例を示すブロック図である。
【図１７】無線基地局、店舗サーバ装置、およびＲＯ無線局の詳細な動作例を示すフローチャートである。
【図１８】ＲＯ無線局と無線基地局との送受信動作例を示す説明図である。
【図１９】ＤＩ種無線局〜温湿度無線局と無線基地局との送受信動作例を示すフローチャートである。
【図２０】ＤＩ種無線局〜温湿度無線局と無線基地局との送受信動作例を示す説明図である。
【図２１】無線局から無線基地局、または店舗サーバ装置からセンタサーバ装置に監視データを送信するときの動作例を示すフローチャートである。
【符号の説明】
【００６１】
１：店舗管理システム、２：店舗、３：オープンケース、４：ウォークイン、５：冷凍リーチン、６：冷蔵用の冷凍機、７：冷凍用の冷凍機、８：空調機、  ９：室外機、１０：照明器具、１１：看板照明器具、１２：無線局、１３：無線基地局、１４：ＬＡＮ、１５：店舗サーバ装置、１６：ＰＯＳターミナル装置、１７：ストアサーバ装置、１８：センタサーバ装置、１９：インターネット回線、２０：モデム装置、２１：クライアントＰＣ装置、２２：ＲＴＤ無線局（無線局）、２３：温度取得部（無線局）、２４：ＤＩ無線局（無線局）、２５：外付けリレー、２６：ニオイセンサ、２７：圧力センサ、２８：ＡＩ無線局、２９：室外温湿度計、３０：温湿度無線局、３１：ＲＯ無線局、３２：通常出力回路、３３：フェールセーフ回路、３４：フェールセーフリレー、３５：サーモ接点、３６：電磁弁、３７：制御リレー、３８：パッシブアンテナ、３９：アンテナ本体、４０：アンテナ本体、４１：同軸ケーブル、４２：電源装置（太陽電池装置）、４３：液晶表示器（表示器）、４４：太陽電池パネル、４５：ダイオード、４６：電気二重層コンデンサ、４７：バッテリＢＯＸ、４８：ダイオード、４９：ダイオード、５０：昇圧型ＤＣ／ＤＣコンバータ、５１：ダイオード、５２：コンデンサ、５３：負荷回路、５４：可変抵抗、５５：可変抵抗、５６：抵抗、５７：抵抗、５８：電源ＩＣ、５９：スイッチング素子、６０：昇圧コイル、６１：ジョイント、６２：集光パネル（光集光器）、６３：窓部分、６４：集光パネル（光集光器）、６５：送信部、６６：受信部、６７：処理部、６８：送信用アンテナ、６９：受信用アンテナ、７０：遮蔽板
【図１】
2006093831.tif 000003
【図２】
2006093831.tif 000004
【図３】
2006093831.tif 000005
【図４】
2006093831.tif 000006
【図５】
2006093831.tif 000007
【図６】
2006093831.tif 000008
【図７】
2006093831.tif 000009
【図８】
2006093831.tif 000010
【図９】
2006093831.tif 000011
【図１０】
2006093831.tif 000012
【図１１】
2006093831.tif 000013
【図１２】
2006093831.tif 000014
【図１３】
2006093831.tif 000015
【図１４】
2006093831.tif 000016
【図１５】
2006093831.tif 000017
【図１６】
2006093831.tif 000018
【図１７】
2006093831.tif 000019
【図１８】
2006093831.tif 000020
【図１９】
2006093831.tif 000021
【図２０】
2006093831.tif 000022
【図２１】
2006093831.tif 000023